(57)【要約】【課題】釣り人の手に伝わる振動を抑制し、使用寿命を延長することのできる魚釣用スピニングリールを提供すること【解決手段】ハンドル１６に連動回転する駆動筒軸２２を、軸方向移動を規制するころがり軸受２４ａ，２４ｂを介してリール本体１２ａの前部に回転自在に支持し、この駆動筒軸内に嵌挿されるスプール軸３０の前部に、釣糸を巻回保持するスプール１４を設け、ハンドルを回転することにより、駆動筒軸２２に取付け固定したロータ２８をこの駆動筒軸２２と共に回転し、このロータ２２に設けた釣糸案内部２７を通じてスプール１４に釣糸を巻回する魚釣用スピニングリール１０であって、駆動筒軸２２とリール本体１２ａの支持部１７との間に、駆動筒軸２２をスプール軸３０の軸方向に沿って付勢するスプリングワッシャ５６を介挿し、ころがり軸受２４ａの内外輪間のガタ付きを抑えた魚釣用スピニングリール。【選択図】      図２
2005218329.tif 000002
【特許請求の範囲】
【請求項１】
ハンドルに連動回転する駆動筒軸を、軸方向移動を規制するころがり軸受を介してリール本体の前部に回転自在に支持し、この駆動筒軸内に嵌挿されるスプール軸の前部に、釣糸を巻回保持するスプールを設け、前記ハンドルを回転することにより、前記駆動筒軸に取付け固定したロータをこの駆動筒軸と共に回転し、このロータに設けた釣糸案内部を通じて前記スプールに釣糸を巻回する魚釣用スピニングリールであって、
前記駆動筒軸とリール本体の支持部との間に、前記駆動筒軸をスプール軸の軸方向に沿って付勢する弾性部材を介挿し、前記ころがり軸受の内外輪間のガタ付きを抑えたことを特徴とする魚釣用スピニングリール。
【請求項２】
前記弾性部材は、前記駆動筒軸を竿先側に付勢することを特徴とする請求項１に記載の魚釣用スピニングリール。
【発明の詳細な説明】
【技術分野】
【０００１】
本発明は、ハンドルを回転することにより、ロータを回転し、このロータに設けた釣糸案内部を通じてスプールに釣糸巻回する魚釣用スピニングリールに関する。
【背景技術】
【０００２】
一般に、魚釣用スピニングリールは、リール本体から延出する脚部の端部に形成した竿取付部を介して釣竿に取付固定される。このリール本体には、ハンドルが固定されるハンドル軸が回転可能に支持されている。また、ハンドル軸にはドライブギアが固定されており、このドライブギアには、ハンドル軸に対して直交する方向に延び且つリール本体に回転自在に支持された駆動筒軸の基端部外周に形成された歯部（ピニオンギヤ）が噛合する。この駆動筒軸は、軸方向移動を規制するころがり軸受を介して支持されており、先端部にはロータが一体的に取り付けられ、この駆動筒軸内をハンドル軸と直交する方向に延在するスプール軸が貫通している。また、スプール軸の先端部には釣糸が巻回されるスプールが取り付けられている。スプール軸は、ハンドルからの回転力をスプール軸の前後動に変換するスプール往復動機構（オシレーティング機構）により、ハンドル軸と直交する方向に沿って往復動される（例えば特許文献１および特許文献２参照）。
【０００３】
このように、魚釣用スピニングリールは、ハンドルを回転することにより、ロータを回転しながらスプール軸を前後動し、ロータの釣糸案内部を介してスプールに釣糸が巻き取る構成であるため、この巻取り操作時には、スプールに巻回される釣糸からロータを介して駆動筒軸に負荷が加わる。通常、この駆動筒軸を回転自在に支えるころがり軸受は、外輪をリール本体に固定部材を介して固定され、内輪を駆動筒軸とロータとで挟着することで、駆動筒軸の軸方向移動を規制し、この駆動筒軸にロータを固定することで、ロータを所定位置に支持する。
【特許文献１】特開平７−２４６０４５号公報
【特許文献２】特開平９−２０５９４６号公報
【発明の開示】
【発明が解決しようとする課題】
【０００４】
しかし、ころがり軸受は、スムーズな回転を実現するために、内輪及び外輪と、内外輪間に配置される転動体との間にわずかなクリアランスを形成するのが一般的である。このため、内輪と外輪とはその軸方向に微小のガタ付きを生じ、このガタ付きがころがり軸受で軸方向規制される駆動筒軸に微小のガタ付きを生じさせる。
【０００５】
一方、駆動筒軸に固定されるロータは、径方向に対向配置される一対の腕部のうち、一方側の腕部にのみ、釣糸案内部を支持しているため、回転時にアンバランスを生じる。このアンバランスを解消するバランス構造は、上述の特許文献１にも記載されているが、しかし、アンバランスを完全に解消することは困難であり、微小のアンバランスが残る。
【０００６】
このため、ロータの回転時は絶えず微小の振動が生じ、この振動がころがり軸受のガタ付きを定常的に生じさせる。このようなころがり軸受の振動は、リール本体および釣竿にも伝わり、巻取り操作時に釣り人は、釣竿を握る手を通じて不快な微小振動を感得し、これにより、操作感が悪く、また、長時間の実釣りで手に疲労を生じさせる原因となる。  
また、長期間にわたってころがり軸受にガタ付きを与え続けると、ころがり軸受の消耗が促進され、使用寿命が短くなる虞がある。
【０００７】
本発明は、このような事情に基づいてなされたもので、釣り人の手に伝わる振動を抑制し、使用寿命を延長することのできる魚釣用スピニングリールを提供することを目的とする。
【課題を解決するための手段】
【０００８】
上記目的を達成するため、本発明によると、ハンドルに連動回転する駆動筒軸を、軸方向移動を規制するころがり軸受を介してリール本体の前部に回転自在に支持し、この駆動筒軸内に嵌挿されるスプール軸の前部に、釣糸を巻回保持するスプールを設け、前記ハンドルを回転することにより、前記駆動筒軸に取付け固定したロータをこの駆動筒軸と共に回転し、このロータに設けた釣糸案内部を通じて前記スプールに釣糸を巻回する魚釣用スピニングリールであって、前記駆動筒軸とリール本体の支持部との間に、前記駆動筒軸をスプール軸の軸方向に沿って付勢する弾性部材を介挿し、前記ころがり軸受の内外輪間のガタ付きを抑えた魚釣用スピニングリールが提供される。
【発明の効果】
【０００９】
本発明によると、駆動筒軸とリール本体との間に、駆動筒軸をスプール軸の軸方向に沿って付勢する弾性部材を介挿することにより、この弾性部材が、駆動筒軸の軸方向移動を規制するころがり軸受の内外輪間のガタ付きで生じる駆動筒軸の微小の前後方向の動きと、ロータの回転時に生じる僅かなアンバランスとで発生するロータの振動を吸収する。これにより、リール本体を介して釣り人に振動が伝わるのを防ぎ、釣り人に不快感を与えるのを防止すると共に、ころがり軸受のガタ付きの抑制により、ころがり軸受の使用寿命を延長することができる。
【発明を実施するための最良の形態】
【００１０】
図１から図３は、本発明の好ましい実施形態による魚釣用スピニングリール１０を示す。  
本実施形態の魚釣用スピニングリール１０は、剛性構造のリール本体１２ａと、リール本体１２ａから延出する脚部１２ｂと、脚部１２ｂの端部に形成され且つ釣竿に取り付けられる竿取付部１２ｃとを有する。リール本体１２ａ内には、スプール１４に釣糸を巻回するための巻取駆動機構が設けられている。具体的には、ハンドル１６が固定されるハンドル軸１８がリール本体１２ａ内に回転可能に支持されている。ハンドル軸１８にはドライブギア２０が固定されており、このドライブギア２０にはピニオンギア２２ａが噛合している。
【００１１】
ピニオンギア２２ａは、ハンドル軸１８に対して直交する方向に延び且つリール本体１２ａに後述する軸受２４ａ，２４ｂを介して回転可能に支持された駆動筒軸２２に設けられている。この駆動筒軸２２の先端部には、ベール２６および釣糸案内部２７を備えたロータ２８が一体的に取り付けられている。
【００１２】
ハンドル軸１８と直交する方向に延在するスプール軸３０が駆動筒軸２２を貫通する。このスプール軸３０は、駆動筒軸２２と同心的に配されており、ハンドル軸１８と直交する方向に沿って駆動筒軸２２内を前後動できる。このスプール軸３０の先端部に、釣糸を巻回する上述のスプール１４が取り付けられる。
【００１３】
また、ハンドル軸１８には、オシレーティング機構（往復動機構）３２の連動歯車３４と噛合する歯車３６が形成されている。本実施形態のオシレーティング機構３２は、いわゆるギヤ方式のものであり、歯車３６に噛み合ってこれと連動回転する連動歯車３４と、連動歯車３４に突設され且つ連動歯車３４の回転中心軸から偏心して位置する係合突起３４ａと、スプール軸３０の後端部にビス３１を介して取り付けられ且つ係合突起３４ａと係合するカム溝３８ａを有する摺動子３８と、摺動子３８と係合して摺動子３８の往復動を案内するガイドレール４０とを備えている。このようなオシレーティング機構３２は、ハンドル軸１８がハンドル１６の回転操作によって回転されると、ハンドル軸１８上の歯車３６と噛み合う連動歯車３４が回転し、それに伴って、連動歯車３４の係合突起３４ａが回転するとともに、係合突起３４ａと係合するカム溝３８ａの案内によって摺動子３８が前後に往復動する。したがって、摺動子３８に取り付けられたスプール軸３０が軸方向に沿って往復駆動（前後動）する。
【００１４】
以上の構成によれば、ハンドル１６を回転操作してハンドル軸１８を回転させると、オシレーティング機構３２を介してスプール軸３０に取り付けられたスプール１４が前後に往復動するとともに、ドライブギア３、ピニオンギア２２ａ、駆動筒軸２２を介してロータ２８が回転駆動する。したがって、スプール１４には、釣糸案内部２７を介して、釣糸が均等に巻回される。
【００１５】
また、リール本体１２ａの後端壁部１３には、ロータ２８の逆回転（釣糸繰り出し方向の回転）を防止する周知の一方向クラッチ４０を備えた逆転防止機構の切換ロッド４２の端部が貫通しており、後端壁部１３から外部に突出する切換ロッド４２の端部には、切換レバー４２ａが取り付けられている。この切換レバー４２ａを通じて、ロータ２８を正逆転可能な状態と、正転可能でかつ逆転不能の状態とに切換えることができる。また、一方向クラッチ４０は、駆動筒軸２２に対して回り止め嵌合された内輪４０ａと、内輪４０ａの外側に配され且つ複数の転動部材Ｒを保持する保持器４０ｂと、保持器４０ｂの外側に配された外輪４０ｃとを有している。
【００１６】
本実施形態では、ロータ２８は、駆動筒軸２２の先端に螺合される例えば六角ナット４４と一方向クラッチ４０の内輪４０ａとの間で挟持されて固定されている。この六角ナット４４の軸部の内周面には雌ネジ４４ａが形成されており、この雌ネジ４４ａを駆動筒軸２２の先端部外周面に形成された雄ネジに螺合させることより、ナット４４が駆動筒軸２２に締結される。この六角ナット４４の頭部の外周面は、ロータ２８に螺合したネジ部材４５の頭部と係合しており、このネジ部材４５により、六角ナット４４の回転が防止される。
【００１７】
図２に拡大して示すように、六角ナット４４の頭部の内周側には、凹環状の収容溝４４ｂが形成されている。この収容溝４４ｂ内には、樹脂製のカラー４６ａを介してスプール軸３０を回転可能に支持するころがり軸受４８が収容されている。本実施形態では、ころがり軸受４８が収容溝４４ｂから抜け出るのを防止するため、皿小ネジ４９が六角ナット４４の端面に螺合してあり、この皿小ネジ４９の頭部を介して、ころがり軸受４８を係止する。なお、駆動筒軸２２の後部では、スプール軸３０は、樹脂製カラー４６ｂを介して、この駆動筒軸２２およびリール本体１２ａに支えられており、したがって、駆動筒軸２２の前後に配置された２つの樹脂製カラー４６ａ，４６ｂにより、駆動筒軸２２の内周面とスプール軸３０の外周面との間に、極めて僅かな間隙Ｓを形成される。これにより、駆動筒軸２２とスプール軸３０との間の摩擦が軽減され、ハンドル１６の回転に連動して、駆動筒軸２２およびロータ２８が滑らかにかつ一体的に回転する。
【００１８】
図２および図３に示すように、本実施形態の駆動筒軸２８は、２つのころがり軸受２４ａ，２４ｂにより、軸方向移動を規制された状態でリール本体１２ａの前部に支持されている。
【００１９】
具体的には、本実施形態の駆動筒軸２２は、ピニオンギヤ２２ａの外径を筒部２２ｂおよび後端支持部２２ｃよりも大径に形成してあり、リール本体１２ａに形成した段付き構造の収容凹部１５に嵌合されかつ後方への移動を阻止されたころがり軸受２４ａが、ピニオンギヤ２２ａとの間にワッシャ５０を介してこのピニオンギヤ２２ａの前方側で筒部２２ｂを支える。このころがり軸受２４ａの前方側すなわち竿先側では、ワッシャ５２と一方向クラッチ４０とをリール本体１２ａ内に保持する保持板５４が、固定ネジ５６でこのリール本体１２ａに固定してある。これにより、ころがり軸受２４ａの前方側および後方側への移動が阻止され、駆動筒軸２２は、ピニオンギヤ２２ａおよびワッシャ５０を介して係合するころがり軸受２４ａにより、前方側への軸方向移動が規制される。なお、本実施形態では、ピニオンギヤ２２ａとの間に介挿する後方側のワッシャ５０をころがり軸受２４ａの内輪に係合させ、一方向クラッチ４０の外輪４０ｃとの間に介挿する前方側のワッシャ５２をころがり軸受２４ａの外輪に係合させてあるが、これとは逆にすることも可能である。
【００２０】
また、駆動筒軸２２の後端支持部２２ｃを支えるころがり軸受２４ｂは、リール本体１２ａに一体に形成された支持部１７に収容される。この支持部１７は、ころがり軸受２４ｂの外輪を嵌合する凹部１７ａと、この凹部１７ａの後端側外周部から半径方向内方に突出するフランジ部１７ｂとを有し、このフランジ部１７ｂところがり軸受２４ｂの外輪との間で、上述の樹脂製カラー４６ｂを挟持する。これにより、ころがり軸受２４ｂの後方側への移動が阻止され、駆動筒軸２２はピニオンギヤ２２ａを介して係合するころがり軸受２４ｂにより、後方側への軸方向移動が規制される。
【００２１】
そして、この支持部１７に収容されたころがり軸受２４ｂの内輪とピニオンギヤ２２ａとの間には、スプリングワッシャ５６を介挿してあり、このスプリングワッシャ５６が、弾性部材としてスプール軸３０の軸方向に沿って駆動筒軸２２を前方側すなわち竿先側に付勢する。結果として、リール本体１２ａの支持部１７と駆動筒軸２２との間に、軸受２４ａと弾性部材であるスプリングワッシャ５６が介挿される。これにより、前方に配置されたころがり軸受２４ａは、外輪をリール本体１２ａに保持されつつ内輪を前方側に付勢され、一方、後方に配置されたころがり軸受２４ｂは、外輪をリール本体１２ａに係止されつつ内輪を後方側に付勢される。したがって、ころがり軸受２４ａ，２４ｂの内輪と外輪との間に形成されるわずかな間隙が排除される。
【００２２】
このように形成された魚釣用スピニングリール１０は、駆動筒軸２２をスプール軸３０の軸方向に沿って付勢するスプリングワッシャ５６が、リール本体１２ａとの間に介挿されていることにより、駆動筒軸２２の軸方向移動を規制しているころがり軸受２４ａ，２４ｂの内外輪間のガタ付きで生じる駆動筒軸２２の微小前後動が吸収される。更に、駆動筒軸２２に結合されたロータ２８が回転する際の僅かなアンバランスに起因するロータの振動も、スプリングワッシャ５６で吸収される。したがって、例えば巻取り操作時に、ころがり軸受２４ａ，２４ｂやロータ２８に起因する振動が、リール本体１２ａを通じて釣り人の手に伝わるのを防ぎ、釣り人に不快感を与えるのを防止すると共に、ころがり軸受のガタ付きの抑制により、ころがり軸受の使用寿命を延長することができる。
【００２３】
更に、振動を吸収するスプリングワッシャ５６が駆動筒軸２２を竿先側に付勢することにより、駆動筒軸２２とロータ２８との間に介在するころがり軸受２４ａに対しても、簡単な構造でありながらも、無理なく付勢力を与えることができる。
【００２４】
図４および図５は、変形例を示す。なお、以下に説明する種々の変形例および実施形態は、基本的には上述の実施形態と同様であるため、同様な部位には同様な符号を付し、その詳細な説明を省略する。
【００２５】
図４に示す変形例は、上述のスプリングワッシャ５６に代え、弾性部材としてコイルスプリング５８をころがり軸受２４ｂの内輪とピニオンギヤ２２ａとの間に介挿し、駆動筒軸２２を竿先側に付勢する。また、図５に示す変形例では、コイルスプリング６０をころがり軸受２４ｂの外輪と受部材１７のフランジ部１７ｂとの間に介挿し、ころがり軸受２４ｂの内輪とピニオンギヤ２２ａとの間にワッシャ６２を介挿してある。
【００２６】
いずれの変形例についても、上述の実施形態と同様に、ころがり軸受２４ａ，２４ｂやロータ２８に起因する振動が、リール本体１２ａを通じて釣り人の手に伝わるのを防ぎ、釣り人に不快感を与えるのを防止すると共に、ころがり軸受のガタ付きの抑制により、ころがり軸受の使用寿命を延長することができる。
【００２７】
図６から図８は、第２の実施形態を示す。  
本実施形態の魚釣用スピニングリール１０Ａでは、上述のギヤ方式とは異なり、オシレーティング機構３２Ａが、ピニオンギヤ２２ａと噛み合って回転するウォームシャフト（トラバースカム軸）６４ａと、ウォームシャフト６４ａの溝と噛み合いかつスプール軸３０に対してその軸方向に移動不能に取り付けられたスライダ６４ｂとからなり、ハンドル軸１８がハンドル１６の回転操作によって回転されると、スプール軸３０を軸方向に沿って往復駆動（前後動）する。
【００２８】
図７および図８に拡大して示すように、駆動筒軸２２は一方向クラッチ４０の前後に配置された２つのころがり軸受６６ａ，６６ｂにより、軸方向移動を規制された状態で、リール本体１２ａに回転自在に支持されている。前方に配置されたころがり軸受６６ａは内部を密閉されたシールタイプに形成してある。
【００２９】
後方側のころがり軸受６６ｂは、リール本体１２ａに形成した凹環部１９内に収容され、竿先側に向けて、一方向クラッチ４０と前方側のころがり軸受６６ａとが順に配置される。本実施形態では、ピニオンギヤ２２ａところがり軸受６６ｂの内輪との間にワッシャ６８を介挿し、ころがり軸受６６ｂの内輪と一方向クラッチ４０の内輪４０ａとの間に薄いワッシャ６９を介挿し、一方向クラッチ４０の内輪４０ａと前方側ころがり軸受６６ａの内輪との間に、ワッシャ７０を介挿してある。そして、前方側ころがり軸受６６ａの内輪との間にロータ２８を挟持した状態でナット４４を締め付けることにより、ロータ２８が駆動筒軸２２上に固定される。後方側ころがり軸受６６ｂの外輪と一方向クラッチ４０の外輪との間には僅かな間隙が設けられる（図８参照）。
【００３０】
また、前方側ころがり部材６６ａの外輪は、前端側が保持板５４に当接し、一方向クラッチ４０の外輪４０ｃと前方側ころがり軸受６６ａの外輪との間にスペーサ７２を介挿され、前方側ころがり軸受６６ａの外輪および一方向クラッチ４０の外輪が保持板５４で、前方側への移動を規制される。これにより、駆動筒軸２２は、２つのころがり軸受６６ａ，６６ｂにより、リール本体に対して回転自在で、かつ、軸方向移動を規制された状態に保持される。
【００３１】
そして、本実施形態では、Ｏリング７４が、後方側ころがり軸受６６ｂを介して駆動筒軸２２とリール本体１２ａとの間に、駆動筒軸２２を軸方向に付勢する弾性部材として、介挿されている。具体的には、Ｏリング７４は、リール本体１２ａに形成した支持部である凹環部１９の底壁あるいは段部１９ａところがり軸受６６ｂの外輪との間に介挿されている。このＯリング７４は、ころがり軸受６６ｂの外輪を介して、駆動筒軸２２に固定されたころがり軸受６６ｂの内輪、ワッシャ６９、一方向クラッチの内輪４０ａ、ワッシャ７０、ころがり軸受６６ａの内輪および駆動筒軸２２を前方に付勢する。保持板５４が前方側ころがり軸受６６ａの外輪と一方向クラッチ４０の外輪との前方への移動を阻止し、ナット４４が駆動筒軸２２に対するこれらのころがり軸受６６ａ，６６ｂと一方向クラッチ４０のそれぞれの内輪の軸方向移動を規制するため、それぞれの外輪が内輪に対して付勢され、ころがり軸受６６ａ，６６ｂの内外輪間のガタ付きで生じる駆動筒軸２２の微小前後動が吸収される。
【００３２】
以上のように、本実施形態においても、Ｏリング７４が、駆動筒軸２２の軸方向移動を規制するころがり軸受６６ａ，６６ｂの内外輪間のガタ付きで生じる駆動筒軸２２の微小の前後方向の動きと、ロータ２８の回転時に生じる僅かなアンバランスとで発生するロータ２８の振動を吸収する。これにより、リール本体１２ａを介して釣り人に振動が伝わるのを防ぎ、釣り人に不快感を与えるのを防止すると共に、ころがり軸受６６ａ，６６ｂのガタ付きの抑制により、ころがり軸受の使用寿命を延長することができる。
【００３３】
上述の各実施形態では、駆動筒軸２２は、軸方向移動を規制する複数のころがり軸受すなわち前方側ころがり軸受２４ａ，６６ａと、後方側のころがり軸受２４ｂ，６６ｂとで支持し、弾性部材を、後方側ころがり軸受２４ｂ，６６ｂとリール本体１２ａとの間に配置したものであるが、これに限らず、前方側ころがり軸受２４ａ，６６ａとリール本体１２ａとの間に配置することも可能である。この場合、弾性部材は内輪あるいは外輪といずれの側を介して駆動筒軸２２を付勢してもよい。また、複数のころがり軸受の１つに弾性部材を設けるだけでなく、複数あるいは全てのころがり軸受に設けることも可能である。この場合には、スプリングワッシャ、コイルスプリングあるいはＯリングを含む種々の弾性部材のうち、複数種を組合せて用いることも可能である。
【図面の簡単な説明】
【００３４】
【図１】本発明の第１の実施形態に係る魚釣用スピニングリールの内部構造を示す断面図。
【図２】図１の一部の拡大断面図。
【図３】図２の一部を更に拡大した断面図。
【図４】変形例を示す図３と同様な断面図。
【図５】他の変形例を示す図３と同様な断面図。
【図６】第２の実施形態による魚釣用スピニングリールン図１と同様な断面図。
【図７】図６の一部の拡大断面図。
【図８】図７の一部を更に拡大した断面図。
【符号の説明】
【００３５】
１０…魚釣用スピニングリール、１２ａ…リール本体、１４…スプール、１６…ハンドル、２２…駆動筒軸、２４ａ，２４ｂ…ころがり軸受、２７…釣糸案内部、２８…ロータ、５６…スプリングワッシャ。
【図１】
2005218329.tif 000003
【図２】
2005218329.tif 000004
【図３】
2005218329.tif 000005
【図４】
2005218329.tif 000006
【図５】
2005218329.tif 000007
【図６】
2005218329.tif 000008
【図７】
2005218329.tif 000009
【図８】
2005218329.tif 000010